(57)【特許請求の範囲】
【請求項１】
第１の光源と、前記第１の光源から出射された第１の出射光を透過させる光学部材と、前記光学部材を透過した第１の出射光を収束させる対物レンズと、前記第１の出射光に対して直角方向から前記光学部材に入光し前記第１の出射光と同一光路上に導かれる光を出射する第２の光源と、前記第１の光源及び前記第２の光源を搭載するキャリッジと、前記第１の光源の光量調整を行う第１の調整手段と、前記第２の光源の光量調整を行う第２の調整手段とを備え、前記第１の調整手段と前記第２の調整手段は、前記キャリッジの側面のうち、前記第１の出射光の光軸より前記第２の光源側に位置する面に配置されることを特徴とする光ピックアップ。
【請求項２】
前記第１の出射光の光軸より前記第２の光源側に位置する面は、前記第１の光源が配置されている面または前記第２の光源が配置されている面の少なくとも一方の面に隣接する面であることを特徴とする請求項１に記載の光ピックアップ。
【請求項３】
前記第１の調整手段と前記第２の調整手段が配置された面は、前記第１の光源が配置されている面及び前記第２の光源が配置されている面のいずれとも異なっていることを特徴とする請求項１に記載の光ピックアップ。
【請求項４】
記録密度の異なる第１の記録媒体と第２の記録媒体を再生可能なピックアップであって、前記第１の記録媒体に対する光を照射する第１の光源と、前記第１の光源から照射され、前記第１の記録媒体で反射されてきた光を受光する第１の受光手段と、前記第１の光源及び前記第１の受光手段とを備えた第１の光学ユニットと、前記第１の光源から出射された第１の出射光を透過させる光学部材と、前記光学部材を透過した第１の出射光を収束させる対物レンズと、前記第１の出射光に対して直角方向から前記光学部材に入光し前記第１の出射光と同一光路上に導かれる光を出射する第２の光源と、前記第２の光源から照射され、前記第２の記録媒体で反射されてきた光を受光する第２の受光手段と、前記第２の光源及び前記第２の受光手段とを備えた第２の光学ユニットと、前記第１の光学ユニット及び前記第２の光学ユニットを搭載するキャリッジと、前記第１の光源の光量調整を行う第１の調整手段と、第２の光源の光量調整を行う第２の調整手段とを備え、前記第１の調整手段と前記第２の調整手段は、前記キャリッジの側面のうち、前記第１の出射光の光軸より前記第２の光源側に位置する面に配置されることを特徴とする光ピックアップ。
【請求項５】
前記第１の光学ユニットに設けられた第１の端子群と前記第１の調整手段とを電気的に接続する第１の接続手段と、前記第２の光学ユニットに設けられて第２の端子群と前記第２の調整手段とを電気的に接続する第２の接続手段を備え、前記第１の接続手段と前記第２の接続手段とを１つのフレキシブルプリント回路で形成したことを特徴とする請求項４記載の光ピックアップ。
【請求項６】
前記第１の出射光の光軸より前記第２の光源側に位置する面は、前記第１の光源が配置されている面または前記第２の光源が配置されている面のいずれか一方の面に隣接する面であることを特徴とする請求項４，５いずれか１記載の光ピックアップ。
【請求項７】
前記第１の調整手段と前記第２の調整手段が配置された面は、前記第１の光源が配置されている面及び前記第２の光源が配置されている面のいずれとも異なっていることを特徴とする請求項４または請求項５に記載の光ピックアップ。
【請求項８】
第１の調整手段と第２の調整手段との間の距離を１０ｍｍ以内としたことを特徴とする請求項１〜７いずれか１記載の光ピックアップ。
【発明の詳細な説明】
【０００１】
【発明の属する技術分野】
本発明は、高密度ディスク、コンパクトディスク等の光ディスクにおける記録再生に使用される光ピックアップに関するものである。
【０００２】
【従来の技術】
以下に従来の高密度記録ディスク及びコンパクトディスクを記録再生する光ピックアップについて説明する。図７は従来の光ピックアップ部の正面図で、図８は図７のＤＤ断面図である。
【０００３】
１３０は光学ユニット１２１内の半導体レーザのレーザ出射光量を調節するためのボリュームで、光学ユニット１２１上に半田付け等の手段によって固定されたレーザ基板１６０上に取り付けられている。１３１は光学ユニット１２３内の半導体レーザのレーザ出射光量を調節するためのボリュームである。光学ユニット１２３上に半田付け等の手段によって固定されたレーザ基板１６１上に取り付けられている。１３２は光学ユニット１２１内の半導体レーザ光に対して重畳を掛けるための重畳回路である。
【０００４】
このように構成された光学ユニット１２１、１２３は各々φ方向及びΨ方向に回転調整をする必要がある。従って、調整設備として回転調整するアーム１６２、１６３及び回転駆動機構とボリューム１３０、１３１の調整を行うために回転アーム１６４、１６５が各々設置されている。また、光学ユニット１２１、１２３を回転調整するとボリューム１３０、１３１も回転してしまうため回転調整するアーム１６２上に回転アーム１６４及び回転駆動装置が、回転調整するアーム１６３上に回転アーム１６５及び回転駆動装置が構成されている。
【０００５】
【発明が解決しようとする課題】
しかしながら前記従来の光ピックアップの構成は、光学ユニットの回転調整とボリューム調整を行う調整設備が同一面内からの調整になるため、光学ユニットとボリュームを近接させることができず、光ピックアップの小型化ができない。また、光学ユニットの回転調整上にボリューム調整が必要であるので、調整設備が複雑で設備費用が増大するという問題点を有していた。
【０００６】
本発明は前記従来の課題を解決するもので、薄型で、かつ調整が容易な光ピックアップを提供することを目的とする。
【０００７】
【課題を解決するための手段】
本発明の光ピックアップは、第１の光源と、第１の光源から出射された第１の出射光を透過させる光学部材と、光学部材を透過した第１の出射光を収束させる対物レンズと、第１の出射光に対して直角方向から光学部材に入光し前記第１の出射光と同一光路上に導かれる光を出射する第２の光源と、第１の光源及び第２の光源を搭載するキャリッジと、第１の光源の光量調整を行う第１の調整手段と、第２の光源の光量調整を行う第２の調整手段とを備え、第１の調整手段と第２の調整手段は、キャリッジの側面のうち、第１の出射光の光軸より前記第２の光源側に位置する面に配置されることを特徴とする。
【０００８】
【発明の実施の形態】
請求項１に記載の発明は、第１の光源と、第１の光源から出射された第１の出射光を透過させる光学部材と、光学部材を透過した第１の出射光を収束させる対物レンズと、第１の出射光に対して直角方向から光学部材に入光し第１の出射光と同一光路上に導かれる光を出射する第２の光源と、第１の光源及び第２の光源を搭載するキャリッジと、第１の光源の光量調整を行う第１の調整手段と、第２の光源の光量調整を行う第２の調整手段とを備え、第１の調整手段と第２の調整手段は、キャリッジの側面のうち、第１の出射光の光軸より第２の光源側に位置する面に配置されることを特徴とする。キャリッジの側面のうち、第１の出射光の光軸より第２の光源側に位置する面に、第１の調整手段と第２の調整手段を配置することにより、第１の光源が設けられた光学ユニット、第２の光源が設けられた光学ユニット、第１の調整手段、および第２の調整手段の各々を結ぶ距離を短くできるので、これらの間を結ぶ接続ケーブルの面積を小さくすることができる。その結果、キャリッジの光ディスクに対向する面若しくはその裏面に露出する接続ケーブルの面積を小さくすることができるので、キャリッジの移動に伴って変化する接続ケーブルの折れ曲がりによる断線を防ぐことができる。また、同一の面に第１の調整手段と第２の調整手段を配置することにより、第１の調整手段の光量調整をする際に使用する冶具の位置と、第２の調整手段の光量調整をする際に使用する冶具の位置を近づけることができるので、第１の調整手段の光量調整をする際に使用する冶具と第２の調整手段の光量調整をする際に使用する冶具を兼用させ、且つその移動距離を短くすることができる。その結果、同一の小型の設備で第１の調整手段と第２の調整手段の調整ができ、また冶具を移動させる時間を短縮できるので、生産性を向上させると共に設備構成を簡略化でき、生産コストを低減できる。さらに、第１の調整手段で第１の光源の光量を調整し、第２の調整手段で第２の光源の光量を調整することにより、それぞれの光源の光量調整を独立して調整できるので、第１の光源と第２の光源における光量をほとんど誤差なく確実に調整できる。
【０００９】
請求項２に記載の発明は、第１の出射光の光軸より第２の光源側に位置する面が、第１の光源が配置されている面または第２の光源が配置されている面の少なくとも一方の面に隣接する面であることを特徴とする。第１の出射光の光軸より第２の光源側に位置する面が、第１の光源が配置されている面または第２の光源が配置されている面のいずれか一方の面に隣接する面であることにより、第１の出射光の光軸より第２の光源側に位置する面と、第１の光源が配置されている面または第２の光源が配置されている面の少なくとも一方の面とが同一面でないので、光学ユニットの回転方向の調整（光学ユニットから出射されるレーザ光の偏波面を所定の向きに調整する）を行っている最中にも光源の光量調整を行うことができる。また、第１の光源から出射される光の光軸より第２の光源側に位置する面が、第１の光源が配置されている面または第２の光源が配置されている面の少なくとも一方の面に隣接する面であることにより、第１の出射光の光軸より第２の光源側に位置する面と、第１の光源が配置されている面または第２の光源が配置されている面の少なくとも一方の面とを同一面以外で最も近づけることができるので、第１の光源が設けられた光学ユニット、第２の光源が設けられた光学ユニット、第１の調整手段、および第２の調整手段の各々を結ぶ距離が短くできるので、これらの間を結ぶ接続ケーブルの面積を更に小さくすることができる。その結果、キャリッジの光ディスクに対向する面若しくはその裏面に露出する接続ケーブルの面積を小さくすることができるので、キャリッジの移動に伴って変化する接続ケーブルの折れ曲がりによる断線を効率的に防ぐことができる。
【００１０】
請求項３に記載の発明は、第１の調整手段と第２の調整手段が配置された面が、第１の光源が配置されている面及び第２の光源が配置されている面のいずれとも異なっていることを特徴とする。これにより、光学ユニットの回転方向の調整を行っている最中にも半導体レーザの出力調整を行うことができる。即ち一時に二つの作業を同時並行で行うことができるので、光ピックアップの組立に要する作業時間を短縮し、製造コストを低減することができる。
【００１１】
請求項４に記載の発明は、記録密度の異なる第１の記録媒体と第２の記録媒体を再生可能なピックアップであって、第１の記録媒体に対する光を照射する第１の光源と、第１の光源から照射され、第１の記録媒体で反射されてきた光を受光する第１の受光手段と、第１の光源及び第１の受光手段とを備えた第１の光学ユニットと、第１の光源から出射された第１の出射光を透過させる光学部材と、光学部材を透過した第１の出射光を収束させる対物レンズと、第１の出射光に対して直角方向から光学部材に入光し第１の出射光と同一光路上に導かれる光を出射する第２の光源と、第２の光源から照射され、第２の記録媒体で反射されてきた光を受光する第２の受光手段と、第２の光源及び第２の受光手段とを備えた第２の光学ユニットと、第１の光学ユニット及び第２の光学ユニットを搭載するキャリッジと、第１の光源の調整を行う第１の調整手段と、第２の光源の調整を行う第２の調整手段とを備え、第１の調整手段と第２の調整手段が、キャリッジの側面のうち、第１の出射光の光軸より第２の光源側に位置する面に配置されることを特徴とする。キャリッジの側面のうち、第１の出射光の光軸より第２の光源側に位置する面に、第１の調整手段と第２の調整手段を配置することにより、第１の光源が設けられた光学ユニット、第２の光源が設けられた光学ユニット、第１の調整手段、および第２の調整手段の各々を結ぶ距離を短くできるので、これらの間を結ぶ接続ケーブルの面積を小さくすることができる。その結果、キャリッジの光ディスクに対向する面若しくはその裏面に露出する接続ケーブルの面積を小さくすることができるので、キャリッジの移動に伴って変化する接続ケーブルの折れ曲がりによる断線を防ぐことができる。また、同一の面に第１の調整手段と第２の調整手段を配置することにより、第１の調整手段の光量調整をする際に使用する冶具の位置と、第２の調整手段の光量調整をする際に使用する冶具の位置を近づけることができるので、第１の調整手段の光量調整をする際に使用する冶具と第２の調整手段の光量調整をする際に使用する冶具を兼用させ、且つその移動距離を短くすることができる。その結果、同一の小型の設備で第１の調整手段と第２の調整手段の調整ができ、また冶具を移動させる時間を短縮できるので、生産性を向上させると共に設備構成を簡略化でき、生産コストを低減できる。さらに、第１の調整手段で第１の光源の光量を調整し、第２の調整手段で第２の光源の光量を調整することにより、それぞれの光源の光量調整を独立して調整できるので、第１の光源と第２の光源における光量をほとんど誤差なく確実に調整できる。
請求項５に記載の発明は、前記第１の光学ユニットに設けられた第１の端子群と前記第１の調整手段とを電気的に接続する第１の接続手段と、前記第２の光学ユニットに設けられて第２の端子群と前記第２の調整手段とを電気的に接続する第２の接続手段を備え、前記第１の接続手段と前記第２の接続手段とを１つのフレキシブルプリント回路で形成したことにより、キャリッジの動作によるＦＰＣの撓みや折れ曲がりの発生を抑制することができるので、断線や巻き込み等の動作不良の発生が少ない信頼性の高い光ピックアップとすることができる。
【００１２】
請求項６に記載の発明は、第１の出射光の光軸より第２の光源側に位置する面が、第１の光源が配置されている面または第２の光源が配置されている面のいずれか一方の面に隣接する面であることを特徴とする。第１の出射光の光軸より第２の光源側に位置する面が、第１の光源が配置されている面または第２の光源が配置されている面のいずれか一方の面に隣接する面であることにより、第１の出射光の光軸より第２の光源側に位置する面と、第１の光源が配置されている面または第２の光源が配置されている面の少なくとも一方の面とが同一面でないので、光学ユニットの回転方向の調整（光学ユニットから出射されるレーザ光の偏波面を所定の向きに調整する）を行っている最中にも光源の光量調整を行うことができる。また、第１の光源から出射される光の光軸より第２の光源側に位置する面が、第１の光源が配置されている面または第２の光源が配置されている面の少なくとも一方の面に隣接する面であることにより、第１の出射光の光軸より第２の光源側に位置する面と、第１の光源が配置されている面または第２の光源が配置されている面の少なくとも一方の面とを同一面以外で最も近づけることができるので、第１の光源が設けられた光学ユニット、第２の光源が設けられた光学ユニット、第１の調整手段、および第２の調整手段の各々を結ぶ距離が短くできるので、これらの間を結ぶ接続ケーブルの面積を更に小さくすることができる。その結果、キャリッジの光ディスクに対向する面若しくはその裏面に露出する接続ケーブルの面積を小さくすることができるので、キャリッジの移動に伴って変化する接続ケーブルの折れ曲がりによる断線を効率的に防ぐことができる。
【００１３】
請求項７に記載の発明は、第１の調整手段と第２の調整手段が配置された面が、第１の光源が配置されている面及び第２の光源が配置されている面のいずれとも異なっていることを特徴とする。これにより、光学ユニットの回転方向の調整を行っている最中にも半導体レーザの出力調整を行うことができる。即ち一時に二つの作業を同時並行で行うことができるので、光ピックアップの組立に要する作業時間を短縮し、製造コストを低減することができる。
【００１４】
請求項８に記載の発明は、第１の調整手段と第２の調整手段との間の距離を１０ｍｍ以内としたことにより、治具動作距離を更に短くでき、調整設備もさらに小型化できる。
【００１５】
以下本発明の一実施の形態について図面を参照しながら説明する。
図１は本発明の一実施の形態における光ピックアップの正面図である。図１において、１はディスクで、本実施の形態においてはディスク１として、デジタルビデオディスク（以下ＤＶＤと略す）等の高密度ディスク１ａまたはコンパクトディスク（以下ＣＤと略す）等の低密度ディスク１ｂを用いている。ここで高密度ディスク１ａとしては例えば、記録層を有する基板を２つ用意し、その２つの基板を張り合わせた構成のディスク等である。２はディスク１を回転させるスピンドルモータ部で後で詳述するが、ディスク１をクランプする機構も有する。３はディスク１に記録再生を行う光ピックアップ部で後で詳述する。４は光ピックアップ部３をディスク１を内周及び外周に移させるフィード部である。５はスピンドルモータ部及び光ピックアップ部及びフィード部を搭載するモジュールベースである。６、７はスピンドルモータ及び光ピックアップ部に電力を供給するフレキシブル基板である。
【００１６】
以下、図２に本発明の一実施の形態におけるスピンドルモータ部の正面図、図３に本発明の一実施の形態における図２のＡＡ断面図、図４に本発明の一実施の形態における光ピックアップの正面図、図５に本発明の一実施の形態における図４のＢＢ断面図、図６に本発明の一実施の形態における図４のＣＣ断面図を示す。
【００１７】
図２〜図３において、８はディスク１を精度良く位置決めする円盤状のターンテーブル、９はリング状の永久磁石で、永久磁石９は円周上にＮ磁極及びＳ磁極をそれぞれ交互に形成している。例えば、４つのＮ磁極の間にそれぞれＳ磁極を配置し、しかも各磁極間の角度はおよそ４５度間隔で配置される。この場合、磁極としては８つで構成される。本実施の形態の場合、磁極数は８としたが、４〜１６の範囲で構成する事が好ましい。磁極数が３以下であると、安定した回転を得ることができず、磁極数が１３以上であると、着磁したときの磁力が小さくなりすぎて、やはり安定した回転は得る事は難しい。
【００１８】
１０は板金で、板金１０は永久磁石９のヨークとして用いられる。また、板金１０はターンテーブル８に接着または一体成形等の手段で固定されている。この時板金１０の代わりに、強磁性材料で構成された板状体を用いても良い。なお、本実施の形態の場合、永久磁石９の磁力を大きくするために、板金１０を設けたが、それほど永久磁石９の磁力を必要としない場合には、板金１０は設けなくても良い。
【００１９】
更に、永久磁石９と板金１０を一体に形成しても良いし、ターンテーブル８，永久磁石９，板金１０を一体に形成しても良い。このように３部材を一体にする事によって、部材の小型化を行うことができ、装置の薄型化を行うことができる。
【００２０】
１１は複数のコイル群を環状に配置して構成されたスピンドルコイルで、スピンドルコイル１１は永久磁石９に対向し、かつ永久磁石９の磁極数と異なる数のコイルで構成されている。この時、永久磁石９の磁極数よりもコイルの数を少なくすることが好ましい。また、コイル群それぞれは、略三角形状をなしており、しかも対向しているコイル同士は、直列に接続されている。本実施の形態の場合、永久磁石９の磁極数を８としているので、６つコイルを環状に配置することによって、スピンドルコイル１１を構成している。なお、本実施の形態では、６つのコイルを環状に配置したが、４〜１２の範囲で構成する事が好ましい。
【００２１】
１２は永久磁石９の対向ヨークとして使用されるベース板金で、中央付近に一部テーパ面を有する絞りを設けている。また、絞りの部分にメタルハウジング１３がカシメ等の手段で固定されており、しかもメタルハウジング１３はベース板金１２に対して垂直に立てられている。この時、ベース板金１２は板金で構成したが、強磁性材料からなる板状体で構成したも良い。なお、ベース板金１２状には図示していないフレキシブルプリント基板を介してスピンドルコイル１１が配設されている。この図示していないフレキシブルプリント基板は、所定の配線構造を有しており、この配線とスピンドルコイル１１は電気的に接続され、スピンドルコイル１１にターンテーブル８が回転するように電流が流される。
【００２２】
１４は含浸メタルで、含浸メタル１４はメタルハウジング１３の内部に厚入等の手段で固定されている。含浸メタル１４は小型で非常に潤滑性がよく、しかも低摩擦であるので、特に薄型のドライブには好適に用いられる。本実施の形態では、メタルハウジング１３の内部の両端部にそれぞれ含浸メタル１４を配置したが、使用環境などを考慮して少なくとも一つの含浸メタルや３つ以上の含浸メタルをメタルハウジング１３内に配置してもよい。更に、本実施の形態では、含浸メタルを用いたが、他の軸受けを用いても良い。
【００２３】
１５はスピンドルシャフトで、スピンドルシャフト１５は、端面が球面上で、他端面がターンテーブル８に厚入固定されている。
【００２４】
１６はディスク１をクランプする変形ボールで、変形ボール１６はクランプバネ１７によって常にディスク１の外周方向に付勢されている。この付勢力によってディスク１は常にターンテーブル８側に応圧ｇａかかりクランプする機構になっている。また、ディスク１を取り外す際には変形ボール１６はクランプバネ１７をディスク１の内周側に圧縮させながら取り外す様になっている。
【００２５】
モジュールベース５にはベース板金１２の絞り部分が挿入される略円形状のモジュールベース孔５ａが形成されており、ベース板金１２は、モジュールベース孔５ａの範囲内においてモジュールベース孔５ａ内でタンジェンシャル及びラジアル方向にスキューできるようになっている。つまり、製造時にスピンドルシャフト１５をモジュールベース５に対して所定の角度で立設するように構成されている。この様に構成することによって、ディスク１をタンジェンシャル及びラジアル方向にスキューできる様になる機構である。すなわち、以上の様な調整を行うことによって、ディスク１と光ピックアップの距離をほぼ一定にすることができ、良好な再生を行うことができる。
【００２６】
１８はスキューバネ、１９はスキューバネ１８が挿入されているとともに、ベース板金５を貫通し、モジュールベース５に固定された固定ネジである。スキューバネ１８はモジュールベース５とともにベース板金１２を挟むよう固定ネジ１９に固定されており、しかもスキューバネ１８はベース板金１２をモジュールベース５に付勢している。
【００２７】
２０ａ，２０ｂはベース板金１２をモジュールベース５に対してラジアル方向及びタンジェンシャル方向にスキューさせるための調整ネジで、この調整ネジを締めたり緩めたりすることでスキュー調整を行う。この調整ネジ２０ａ，２０ｂはそれぞれモジュールベース５を貫通し、ベース板金１２にねじ込まれている。スキュー調整は、まず、固定ネジ１９にスキューバネ１８を挿入し、そして固定ネジ１９をベース板金１２を貫通させて、固定ネジ１９をモジュールベース５に固定する。この様に構成する事によって、前述の様に、スキューバネ１８はベース板金１２をモジュールベース５に付勢する。次に調整ネジ２０ａ，２０ｂを回転させる事によって、モジュールベース５に対して板金ベース１２をラジアル方向及びタンジェンシャル方向のスキューを調整する。この時、固定ネジ１９でベース板金１２はモジュールベース５に固定されているので、調整ネジ２０ａ，２０ｂを回転させることによって、ベース板金１２は変位しないように思えるが、ベース板金１２はスキューバネ１８でモジュールベース５に付勢されているだけであるので、ベース板金１２は多少の範囲内では変位することができる。
【００２８】
以下本発明の光ピックアップの光学系について、高密度ディスク１ａとしてＤＶＤを、低密度ディスク１ｂとしてＣＤとを例に挙げて、種類の異なる複数のディスクを再生可能な光ピックアップについて説明する。
【００２９】
図４〜図６において、２１は光学ユニットで、光学ユニット２１は、高密度ディスク１ａの再生を行う波長６３５〜６５０ｎｍのレーザ光２２を出射する半導体レーザと、高密度ディスク１ａからの反射光を検出器に導く回折格子（図示せず）と、その回折格子からの光を受光する複数の受光素子とを備えた光検出器（図示せず）とを一体に構成したものである。
【００３０】
２３もまた光学ユニットで、光学ユニット２３は、低密度ディスク１ｂの再生を行う波長７８０ｎｍのレーザ光２４を出射する半導体レーザと、レーザ光２４から３ビームを生成する回折格子と、低密度ディスク１ｂからの反射光を検出器に導く回折格子（図示せず）と、その回折格子からの光を受光する複数の受光素子を備えた光検出器（図示せず）とを一体に構成したものである。
【００３１】
このように一体化された光学ユニット２１及び光学ユニット２３を光ピックアップに用いることにより、今まで各光学部材ごとに行っていた光軸調整等をユニット単位で行えるようになるので、調整に要する工程数及び時間を大幅に削減する事ができる。更に小さな光学部材の一つ一つを調整するのとは異なり、ユニット単位で調整できるので、調整時のハンドリング性が大幅に向上し、より正確な取り付けが行えるようになるとともに取り付け時の位置ズレの発生も大きく減少させることができる。
【００３２】
また各半導体レーザに対して１つの光学ユニットとしたことにより、各光学ユニット中において各半導体レーザに応じた最適な配置を行え、更に再生するディスクに適応した最適なフォーカス・トラッキングを行えるように各ユニットごとに形状の異なる別々の回折格子を設けることができ、加えて検出手段についてもディスクごとに最適な方法として用いられるＲＦ信号及びフォーカス・トラッキング信号を形成することができる形状に予め形成することができるので、非常に高精度で信号の検知及びピックアップの制御を行うことができる性能の良い光ディスク装置を実現することができる。
【００３３】
そして光学ユニット２１から出射されるレーザ光２２の光軸と光学ユニット２３から出射されるレーザ光２４とが互いにほぼ直交するように光源ユニット２１及び光源ユニット２３とを配置する。そしてレーザ光２２をほぼ反射するとともにレーザ光２４をほぼ透過するビームスプリッタ２５の中心を前記光学ユニット２１からのレーザ光２２の光軸と光学ユニット２３からのレーザ光２４の光軸との交点を含む平面に配置し、異なる位置から出射された光をほぼ同一の光軸上に導くように構成されている。
【００３４】
このようにな異なる位置に配置された半導体レーザからの光を略同一光軸上に配置とすることにより、同一光軸上に導かれた後の光学部材を共有することができるので、対物レンズ等の光学部材の部品点数を削減することができ、生産性の向上及び生産コストの低減を図ることができる。また光路を共有するようにしたことにより、各半導体レーザから出射された光に発生する収差等の光学特性を悪化させる要因もほぼ共通に存在することになるので、各半導体レーザから出射されたそれぞれの光が対物レンズ２９に入射する前に有している収差等の大きさををほぼ同等にすることができる。従って１つの対物レンズ２９で複数の半導体レーザからの光をより容易に光ディスク１に収束させることができるようになる。
【００３５】
更にビームスプリッタ２５の光出射面２５ａ側には波長フィルタ２６が配置されている。この波長フィルタ２６は、何れの波長の光も透過する透過領域と特定の波長の光を遮蔽する選択透過領域とを有している。特に本実施の形態においては透過領域は、高密度ディスクに照射されるレーザ光２２も低密度ディスクに照射されるレーザ光２４も何れも透過させる領域であり、選択透過領域は高密度ディスク１ａに照射されるレーザ光２２をほぼ透過して、低密度ディスク１ｂに照射されるレーザ光２４をほとんど透過しないもので、選択透過領域の形状は低密度ディスク２４に照射されるレーザ光２４が対物レンズ２９に入射する際に要求される形状を実現できるように形成されている。本実施の形態においては、具体的には対物レンズの開口数が０．４３〜０．４５となるように形成されている。
【００３６】
この波長フィルタ２６は、誘電体材料を用いて形成されており、高い屈折率を有する誘電体材料と低い屈折率を有する誘電体材料とを交互に組み合わせて、ビームスプリッタ２５と別部材で形成する場合には、光学ガラス等のベース材料に形成されていることが多い。そしてビームスプリッタ２５の光出射面２５ａには接着等の手段によって固定されている。またビームスプリッタ２５に予め形成しておくことも考えられ、その場合にはビームスプリッタ２５の光出射面２５ａを有するプリズムを形成する前の基板の段階において、その基板の光出射面２５ａとなる面にスパッタリングや蒸着等の方法により予め誘電体膜を直接形成する。
【００３７】
特に予め形成していた場合には光学部材の取り付け工程を減少させることができるので生産性の高い光ピックアップとすることができるとともに、波長フィルタ２６をビームスプリッタ２５に設ける際に形成される接着層の存在による光学特性の劣化を抑制することができるので、特に良好な光学特性を実現することができる。
【００３８】
尚波長フィルタ２６の配置位置はビームスプリッタ２５と対物レンズ２９の間にあれば何処に配置しても目的の効果は得ることができる。
【００３９】
波長フィルタ２６を通過したレーザ光２２及びレーザ光２４は、必要に応じて設けられるコリメータレンズ２７に入射し、発散光をより発散度の小さな光若しくは略平行光にされ、サスペンションホルダ４０に設けられている開口部（図示せず）を通過し、立ち上げミラー２８によって光軸方向を変化させられ、対物レンズ２９により光ディスク１に集光される。ここで対物レンズ２９は、レーザ光２２が入射した場合にはその光を高密度ディスク１ａの記録面に集光し、レーザ光２４が入射した場合にはその光を低密度ディスク１ｂの記録面に集光するように形成されている。本実施の形態において対物レンズ２９は、波長６３５〜６５０ｎｍの波長を有するレーザ光２２を基板厚み０．６ｍｍで形成されているＤＶＤの記録面に集光するように開口数０．６となるように設定されており、これによりレーザ光２２は約１μｍ程度に集光させる。またこの対物レンズ２９により、波長フィルタ２６を透過した波長が略７８０ｎｍのレーザ光２４は、基板厚さ１．２ｍｍで形成されているＣＤの記録面に集光するように設定されており、これによりレーザ光２４は約１．２〜１．５μｍ程度に集光される。
【００４０】
この様に波長フィルタ２６と対物レンズ２９とを組み合わせて用いることにより、対物レンズ２９での入射光の形状を最適化して、それぞれの光ディスク１に応じた集光位置と集光スポットの大きさを実現することができるので、複数の半導体レーザの光を一つの対物レンズを用いて、種類の異なる光ディスク１上に集光することが可能となる。
【００４１】
光学ユニット２１の配置は、ユニットに設けられた高密度ディスク１ａの再生に供される半導体レーザの位置が、コリメータレンズ２７通過後に略平行光となるように設置され、光学ユニット２３の配置は、波長７８０ｎｍのレーザ光源が前記波長６３５〜６５０ｎｍの半導体レーザよりも対物レンズ２９に近くなる位置に配置する。例えば波長６３５〜６５０ｎｍおよび波長７８０ｎｍの半導体レーザと対物レンズ２９の空気長での光路距離をそれぞれＬ１、Ｌ２とすると、０．５５≦Ｌ２/Ｌ１≦０．７５の範囲に波長７８０ｎｍの半導体レーザ搭載の光学ユニット２３の配置を設定する。
【００４２】
このような範囲に半導体レーザを配置することにより、対物レンズ２９入射時にレーザ光２２とレーザ光２４とに発生している収差量を共に許容限界値以下とすることができるので、双方の光について良好な光学特性を得ることができ、高密度ディスク１ａについても低密度ディスク１ｂについても良好な記録・再生特性を実現することができるので好ましい構成である。
【００４３】
ここで、図示していないが光学ユニット２１の回折格子は３分割された領域、光学ユニット２３の回折格子は２分割領域よりなる。また光学ユニット２１は中心に４分割受光素子が配置され、その両側に受光素子を設けた構成の光検出器、光学ユニット２３は５分割受光素子からなる光検出器で構成されている。また、光学ユニット２１内の半導体レーザの方向は、レーザ光２２のファーフィールドパターンの長軸方向が高密度ディスク１のラジアル方向と平行になるように取り付けてある。これにより隣接するピットとの間に発生するクロストークを効率良く防止することができる。また光学ユニット２３の向きはトラッキング方法として３ビーム法を用いる場合には、その３ビームがディスク１のラジアル方向と略直交するように配置してある。
【００４４】
本実施の形態で光学系に存在している２つの半導体レーザのいずれを発光させるかは、記録・再生するディスク１が高密度ディスク１ａであるか低密度ディスク１ｂであるかに応じて切り換える。即ち高密度ディスク１ａが光ディスク１として載置された場合には光学ユニット２１に設けられている半導体レーザを動作させてレーザ光２２を照射し、低密度ディスク１ｂが光ディスク１として載置された場合には光学ユニット２３に設けられている半導体レーザを動作させてレーザ光２４を照射する。
【００４５】
次に記録密度及び基板厚さの異なる光ディスクにおける再生動作について、特に基板厚み０．６ｍｍのＤＶＤと基板厚み１．２ｍｍのＣＤを再生する場合の動作についてそれぞれ説明する。
【００４６】
厚み０．６ｍｍの高密度ディスク１ａの信号を再生する場合、光学ユニット２１に設けられている半導体レーザからの波長６３５〜６５０ｎｍのレーザ光２２は回折格子を透過し、ビームスプリッタ２５で反射された後、波長フィルタ２６、コリメータレンズ２７、立ち上げミラー２８を透過し対物レンズ２９へ入射する。対物レンズ２９に入射したレーザ光２２は対物レンズ２９の集光作用で高密度ディスク１ａの記録面（基板表面から略０．６ｍｍに位置する）に結像される。高密度ディスク１ａからの反射光は再び対物レンズ２９、立ち上げミラー２８、コリメータレンズ２７、波長フィルタ２６を透過し、ビームスプリッタ２５で反射された後、回折格子に入射する。回折格子に入射した光は回折格子の３分割領域でそれぞれ回折され、光検出器に到達する。以上の動作において、ＲＦ信号は６分割受光素子で検出される電流出力を電圧信号に変換した総和より検出し、フォーカス誤差信号は回折格子の半円領域からの１次回折光を用いる、いはゆるホログラムフーコー法で検出する。トラッキング誤差信号は、回折格子の２分割領域の各々の１次回折光による電圧出力をそれぞれコンパレーターでディジタル波形に変換し、それらの位相差に応じたパルスを積分回路を通してアナログ波形に変換することで検出する。
【００４７】
低密度ディスク１ｂの信号を再生する場合、特にトラッキングエラー信号を３ビーム法で行う場合には、光学ユニット２３に設けられている半導体レーザからの波長略７８０ｎｍのレーザ光２４が回折格子（図示せず）で３ビームに分離され回折格子を透過し、ビームスプリッタ２５を透過し、波長フィルタ２６の中心部分の略円形状部分を透過した後、コリメータレンズ２７、立ち上げミラー２８、対物レンズ２９へ入射し対物レンズ２９の集光作用で低密度ディスク１ｂの記録面（基板表面から略１．２ｍｍに位置する）に結像する。
【００４８】
低密度ディスク１ｂからの反射光は再び対物レンズ２９、立ち上げミラー２８、コリメータレンズ２７、波長フィルタ２６の中心部分の略円形状部分、ビームスプリッタ２５を透過し、回折格子に入射する。回折格子に入射した光は回折され、光検出器に到達し信号を検出する。ＲＦ信号は５分割受光素子で検出される電流出力を電圧信号に変換した総和より検出し、フォーカス誤差信号は回折格子の半分の領域からの１次回折光を用いるいはゆるホログラムフーコー法で検出する。トラッキング誤差信号は、３ビーム法で検出する。
【００４９】
以上が本実施の形態で用いた方法であるが、これに限定されるものではなくＲＦ信号、フォーカスエラー信号、トラッキングエラー信号のいずれについても既に知られている方法を用いることも可能である。
【００５０】
また本実施の形態においては半導体レーザを２つ用いた場合について説明してきたが、例えば高密度ディスク・中密度ディスク・低密度ディスクのように３つ以上の種類の異なる複数のディスクを再生する場合には、３つ以上配置する場合も考えられる。その場合にはそれぞれの半導体レーザごとに光学ユニットを形成しても良いし、複数の半導体レーザを２つの光学ユニットに割り振るようにしても良い。またこの場合波長フィルタ２６は透過領域と選択透過領域に加えて更にそれぞれの半導体レーザの波長に対応した第二・第三の選択透過領域を有していることが好ましい。
【００５１】
また使用する半導体レーザの波長は本実施の形態においては、ＤＶＤとＣＤを考えて６３５〜６５０ｎｍのものと７８０ｎｍのものを用いていたが、例えば４００〜４３０ｎｍと６３５〜６５０ｎｍとしても良く、更に７８０ｎｍ、６３５〜６５０ｎｍ、４００〜４３０ｎｍの３つとしてもよく、更に必要に応じて増やすこともできる。
【００５２】
また光学ユニット２１と光学ユニット２３の配置は、前記０．５５≦Ｌ２/Ｌ１≦０．７５の範囲を満足した条件で交換してもよい。更に、ビームスプリッタ２５の代わりに波長６３５〜６５０ｎｍのレーザ光２２のｓ偏向成分は反射し、波長７８０ｎｍのレーザ光２４のｐ偏向成分を透過する偏向ビームスプリッタを用いてもよい。また光学ユニット２１のレーザ光波長は、高密度ディスクの録再に対応した短波長レーザ光に変更してもよい。
【００５３】
次に本発明の一実施の形態における半導体レーザの出射光量を調整するボリュームについて説明する。
【００５４】
３０はボリュームで、ボリューム３０は、光学ユニット２１内の半導体レーザのレーザ光量を調節するもので、キャリッジ４１の側面部４１ａに設けられており、＋若しくは−のネジ若しくはつまみ等を回転させて抵抗値を変える可変抵抗のようなもので形成されている場合が多い。そして光学ユニット２１の底部に設けられている電力供給や信号取り出し等の用に供される複数の端子２１ａのうちの半導体レーザの制御に係るものと、回路基板２１ｂ及びフレキシブルプリント基板５３（以下ＦＰＣ５３と略す）を介して電気的に接続されている。
【００５５】
３１はボリュームで、ボリューム３１は、光学ユニット２３内の半導体レーザのレーザ光量を調節するもので、キャリッジ４１の側面部４１ａに前述したボリューム３０に隣接するように設けられており、＋若しくは−のネジ若しくはつまみ等を回転させて抵抗値を変える可変抵抗のようなものでで形成されている場合が多い。そして光学ユニット２３の底部に設けられている電力供給や信号取り出し等の用に供される複数の端子２３ａのうちの半導体レーザの制御に係るものと、回路基板２３ｂ及びフレキシブルプリント基板５３（以下ＦＰＣ５３と略す）を介して電気的に接続されている。
【００５６】
この様に１つの半導体レーザに対して１つのボリュームを設けたことにより、兼用した場合に比べてそれぞれの半導体レーザの出力調整をほとんど誤差なく確実に行うことができる。更にボリューム３０とボリューム３１とを近接して設けたことにより、半導体レーザの出力調整作業において、ボリューム用の治具の動作距離を短くすることができるので、作業時間を短縮することができるとともに、ボリューム調整治具を動作させる調整設備についても動作距離の小さな小型の設備で良くなる。従って生産性を向上させることができると共に設備構成を簡略化でき、生産コストを低減することができる。
【００５７】
特にボリューム３０及びボリューム３１を近接して設ける際のこれらの間隔を１０ｍｍ以内とすることにより、治具動作距離を更に短くでき、調整設備もさらに小型化できるので好ましい。
【００５８】
また特にボリューム３０及びボリューム３１をキャリッジ４１の側部にそれぞれ設けたことにより、例えばキャリッジ４１の記録媒体に近接する面やその反対側の面に設けた場合と比べると、ボリュームの突起がピックアップの厚み方向に存在しない分、光ピックアップ全体の薄型化に貢献することとなり、市場のニーズである薄型のドライブ装置を実現しやすくなる。
【００５９】
更にキャリッジ４１の側面部４１ａの長手方向（キャリッジの動作方向）に並列して設けたことにより、半導体レーザの出力調整作業において、ボリューム用の治具の動作距離を短くすることができるので、作業時間を短縮することができるとともに、ボリューム調整治具を動作させる調整設備についても動作距離の小さな小型の設備で良くなる。従って生産性を向上させることができると共に設備構成を簡略化でき、生産コストを低減することができるという効果についてが特に顕著に現れると共に光ピックアップ全体の薄型化に貢献することとなり、市場のニーズである薄型のドライブ装置を実現しやすくなるという作用効果も得ることができる。
【００６０】
加えて、本実施の形態に示すようにボリューム３０及びボリューム３１とは光学ユニット２３から出射されるレーザ光２４の光軸よりも光学ユニット２１側に存在するキャリッジ側面部であって、できるだけ光学ユニット２１及び光学ユニット２３との距離が短い位置に設けられていることが好ましい。
【００６１】
この様な条件を満足する側面部にボリューム３０及びボリューム３１を配置することにより、各光学ユニットと各ボリューム間の距離を短くすることができるので、これらの間を接続しているＦＰＣ５３の大きさを小さくすることができ、特にキャリッジ４１の光ディスク１に対向する面若しくはその裏面に露出する面積を小さくすることができるのでキャリッジ４１に動作に伴って発生する可能性のあるＦＰＣの折れ曲がりによる断線の可能性を大きく低減することができる。
【００６２】
さらにボリューム３０及びボリューム３１は、光学ユニット２１が配置されている面と光学ユニット２３が配置されている面のいずれとも異なる面でかつ同一面上に配設されていることが好ましい。
【００６３】
この様な配置とすることにより、光学ユニットの回転方向の調整（光学ユニットから出射されるレーザ光の偏波面を所定の向きに調整する）を行っている最中にも半導体レーザの出力調整を行うことができる。即ち一時に二つの作業を同時並行で行うことができるので、光ピックアップの組立に要する作業時間を短縮し、製造コストを低減することができる。
【００６４】
次にボリューム３０及びボリューム３１と半導体レーザとの電気的接続について図面を参照しながら説明する。図９は本発明の一実施の形態におけるＦＰＣの構成を示す図である。図１０は本発明の一実施の形態におけるＦＰＣとキャリッジとの関係を示す図である。
【００６５】
光学ユニット２１の底部に設けられている複数の端子２１ａのうち半導体レーザの制御に係る端子としては、少なくとも半導体レーザに電力を供給する端子及び半導体レーザから出射される光をモニタしている受光部からの信号を取り出している端子とがある。これらの端子２１ａと回路基板２１ｂとの電気的な接続は、端子２１ａと回路基板２１ｂに形成されているプリント電極との接点をハンダや導電性エポキシ等で接合することにより行われる。
【００６６】
なお前述した接点は、回路基板２１ｂに設けられている貫通孔の周辺に形成された電極とその貫通孔を貫通する端子２１ａとで形成されるものあったり、回路基板２１ｂにプリントされている電極と端子２１ａの端部とで形成されるものであったりする。
【００６７】
そして回路基板２１ｂに設けられている電極とＦＰＣ５３に設けられている電極５３ａとを接合する。なおこの回路基板２１ｂに設けられている電極は端子２１ａとの接続に用いられるものであっても良いし、別の位置に形成され、端子２１ａに電気的に接続されているものであっても良い。本実施の形態においてはＦＰＣ５３の電極５３ａと端子２１ａと回路基板２１ｂに形成されている電極とを同じ位置で同時にハンダ付けしている。
【００６８】
更にそのＦＰＣ５３が備えている電極５３ｂとボリューム３０の電極部とをハンダや導電性エポキシにより接合することにより半導体レーザ及びモニタ用受光部とボリューム３０との電気的接続を行うことができる。
【００６９】
また光学ユニット２３の底部に設けられている複数の端子２３ａのうち半導体レーザの制御に係る端子としては、少なくとも半導体レーザに電力を供給する端子及び半導体レーザから出射される光をモニタしている受光部からの信号を取り出している端子とがある。これらの端子２３ａと回路基板２３ｂとの電気的な接続は、端子２３ａと回路基板２３ｂに形成されているプリント電極との接点をハンダや導電性エポキシ等で接合することにより行われる。なお前述した接点は、回路基板２３ｂに設けられている貫通孔の周辺に形成された電極とその貫通孔を貫通する端子２３ａとで形成されるものであったり、回路基板２３ｂにプリントされている電極と端子２３ａの端部とで形成されるものであったりする。
【００７０】
そして回路基板２３ｂに設けられている電極とＦＰＣ５３に設けられている電極５３ｃとを接合する。なおこの回路基板２３ｂに設けられている電極は端子２３ａとの接続に用いられるものであっても良いし、別の位置に形成され、端子２３ａに電気的に接続されているものであっても良い。本実施の形態においてはＦＰＣ５３の電極５３ｃと端子２３ａと回路基板２３ｂに形成されている電極とを同じ位置で同時にハンダ付けしている。
【００７１】
更にそのＦＰＣ５３が備えている電極５３ｄとボリューム３１の電極部とをハンダや導電性エポキシにより接合することにより半導体レーザ及びモニタ用受光部とボリューム３１との電気的接続を行うことができる。
【００７２】
以上示してきたように、複数の半導体レーザとそれぞれに対応したボリュームとを１つのＦＰＣで構成したことにより、複数の細長いＦＰＣで構成する場合に比べてキャリッジの動作によるＦＰＣの撓みや折れ曲がりの発生を抑制することができるので、断線や巻き込み等の動作不良の発生が少ない信頼性の高い光ピックアップとすることができる。
【００７３】
またこのＦＰＣ５３は各光学部材が配置されているキャリッジ４１を覆うように配置されるので、キャリッジ内部への埃やゴミ等の進入を抑制するという働きも有している。従って各光学部材への埃等の付着が発生しにくい、光学特性の劣化の少ない光ピックアップとすることができる。
【００７４】
３２は光学ユニット２１内の半導体レーザに対して重畳をかけるための重畳回路であり、端子２１ａからボリューム３０を経て、ＦＰＣ５３の電極５３ｅが接続されている。
【００７５】
また必要に応じて光学ユニット２３の半導体レーザに高周波を重畳する回路をもうけることも可能である。
【００７６】
なおボリューム３０及びボリューム３１は逆に、ボリューム３０側を光学ユニット２３内の半導体レーザのレーザ光量を調節するためのボリュームにし、ボリューム３１側を光学ユニット２１内の半導体レーザのレーザ光量を調節するためのボリュームにしてもよい。また半導体レーザが３つ以上設けられた場合にはボリュームもまた半導体レーザと同数設けることが好ましい。
【００７７】
また本実施の形態においては１つのＦＰＣで複数の光学ユニットとボリュームとを接続した場合について説明してきたが、複数のＦＰＣを用いても所定の効果を得ることができるし、ＦＰＣの代わりにリード線を用いても良い。
【００７８】
次に対物レンズ２９を駆動するアクチュエータ等について説明する。
３３は対物レンズ保持筒で、対物レンズ保持筒３３には対物レンズ２９が接着等の手段によって固定している。この対物レンズ保持筒３３は、後に説明するワイヤ３９によって弾性保持されており、所定の範囲において可動自在である。
【００７９】
３４は対物レンズ２９側にＮ極に着磁された永久磁石で、３５は永久磁石３４のヨークである。この永久磁石３４とヨーク３５は固定されており、対物レンズ保持筒３３の様に可動自在にはなっていない。
【００８０】
３６は対物レンズ保持筒３３をフォーカス方向に駆動するためのフォーカスコイルで、３７は対物レンズ２９をトラッキング方向に駆動するためのトラッキングコイルである。この各々のコイル３６及び３７は接着等の手段によって対物レンズ保持筒３３に固定されている。この永久磁石３４とフォーカスコイル３６及びトラッキングコイル３７に流す電流の大きさと方向で、ディスク１に対してフォーカス方向及びトラッキング方向に常に追従できるようになっている。
【００８１】
３８はフォーカスコイル３６及びトラッキングコイル３７に電力を供給する中継基板で、この中継基板３８は対物レンズ保持筒３３の両側面に取り付けられている。また、中継基板３８は対物レンズ保持筒３３をワイヤ３９で中立位置に保持するためにも使用されている。ワイヤ３９の一端は中継基板３８に半田付け等の手段によって固定され、他端をサスペンションホルダー４０の一端に接着等の手段によって固定されたフレキシブル基板上に半田付け等の手段によって固定されている。
【００８２】
キャリッジ４１は、対物レンズ２９に対して光学ユニット２３側にスクリューシャフト４２、反対側にガイドシャフト４３が構成され、スクリューシャフト４２及びガイドシャフト４３上をディスク１の内周から外周に移動できるようになっている。この時スクリューシャフト４２とガイドシャフト４３はそれぞれ略平行に配設されている。更に、キャリッジ４１にはサスペンションホルダー４０，永久磁石３４及びヨーク３５が固定されている。対物レンズ保持筒３３は、前述の様にサスペンションホルダー４０にワイヤ３９を介して取り付けられているので、ワイヤ３９の弾性によって、キャリッジ４０に対して可動自在に保持されている。
【００８３】
更に、スクリューシャフト４２には、キャリッジ４１に一体に形成されたガイド部４１ｃが係合しており、ガイドシャフト４３にも同様にキャリッジ４１に設けられたガイド部４１ｄが係合している。これらガイド部４１ｃ，４１ｄを設ける事によって、キャリッジ４１はディスク１の半径方向にスムーズに移動する。更にスクリューシャフト４２には螺旋状の溝が形成されており、しかもキャリッジ４０には前記溝にはまりこむ突部を有したラック５２が弾性を介して取り付けられている。従って、スクリューシャフト４２の回転によって、ラック５２がスクリューシャフト４２の螺旋状の溝に案内される事によって、スクリューシャフト４２の軸方向に沿ってキャリッジ４１に駆動力が発生し、その駆動力によってキャリッジ４１はスクリューシャフト４２の軸方向に沿って移動する。
【００８４】
図１及び図６において、光学ユニット２１、２３及び重畳回路３２、フォーカスコイル３６、トラッキングコイル３７に電力を供給するためのフレキシブル基板７の引き回し状態は、キャリッジ４１と保護カバー４４間で、かつディスク１の外周方向にキャリッジ４１から出され、ディスク１側に腕曲を持たせる様に引き回されて再度キャリッジ４１と保護カバー４４間を通過し、固定ブロック４５とスラストバネ４６によって固定され、モジュールベース５から外部に出されている。ここで、フレキシブル基板７にはキャリッジ４１以降引き回された部分において屈曲しない部分に補強板を接着等の手段によって固定され、保護カバーのキャリッジ４１側面に密着し、キャリッジ側に垂れるようなことがないようにしている。また、フレキシブル基板７の補強板は、光ピックアップ３がディスク１の最外径位置に行ったときでも、キャリッジ４１から補強板の先端が外れず、常にオーバラップしているようになっている。
【００８５】
次にフィード部４について説明する。
４７はフィードモータでモータ軸が両端に出ており、一方にはモータギア４８、他端には円周方向にスリットを切ったエンコーダ４９が厚入等の手段によって取り付けられている。５０はトレインギアでフィードモータ４７の回転を減速させるために用いられている。５１はスクリューシャフトギアで、フィードモータ４７の回転数を減速させるためにも用いられ、かつスクリューシャフト４２に厚入等の手段で固定され、回転を伝達させている。
【００８６】
【発明の効果】
以上のように本発明によれば、複数の光学ユニットを配設した面と異なる面上に半導体レーザ光量調整用ボリュームを配設し、各々の調整ボリューム間隔を狭めることができるため、光ピックアップの小型化が可能である。また、各々の調整ボリュームを調整する機能を持つ設備が近接しているため、設備構成の簡素化が可能である。さらに、キャリッジの側面のうち、第１の出射光の光軸より第２の光源側に位置する面に、第１の調整手段と第２の調整手段を配置することにより、第１の光源が設けられた光学ユニット、第２の光源が設けられた光学ユニット、第１の調整手段、および第２の調整手段の各々を結ぶ距離を短くできるので、これらの間を結ぶ接続ケーブルの面積を小さくすることができる。その結果、キャリッジの光ディスクに対向する面若しくはその裏面に露出する接続ケーブルの面積を小さくすることができるので、キャリッジの移動に伴って変化する接続ケーブルの折れ曲がりによる断線を防ぐことができる。また、同一の面に第１の調整手段と第２の調整手段を配置することにより、第１の調整手段の光量調整をする際に使用する冶具の位置と、第２の調整手段の光量調整をする際に使用する冶具の位置を近づけることができるので、第１の調整手段の光量調整をする際に使用する冶具と第２の調整手段の光量調整をする際に使用する冶具を兼用させ、且つその移動距離を短くすることができる。その結果、同一の小型の設備で第１の調整手段と第２の調整手段の調整ができ、また冶具を移動させる時間を短縮できるので、生産性を向上させると共に設備構成を簡略化でき、生産コストを低減できる。さらに、第１の調整手段で第１の光源の光量を調整し、第２の調整手段で第２の光源の光量を調整することにより、それぞれの光源の光量調整を独立して調整できるので、第１の光源と第２の光源における光量をほとんど誤差なく確実に調整できる。
【図面の簡単な説明】
【図１】本発明の一実施の形態における光ピックアップの正面図
【図２】本発明の一実施の形態におけるスピンドルモータ部の正面図
【図３】本発明の一実施の形態における図２のＡＡ断面図
【図４】本発明の一実施の形態における光ピックアップの正面図
【図５】本発明の一実施の形態における図４のＢＢ断面図
【図６】本発明の一実施の形態における図４のＣＣ断面図
【図７】従来の光ピックアップ部の正面図
【図８】従来の光ピックアップ部図７のＤＤ断面図
【図９】本発明の一実施の形態におけるＦＰＣの構成を示す図
【図１０】本発明の一実施の形態におけるＦＰＣとキャリッジとの関係を示す図
【符号の説明】
１  光ディスク
１ａ  高密度ディスク
１ｂ  低密度ディスク
２  スピンドルモータ部
３  光ピックアップ部
４  フィード部
２１  光学ユニット
２１ａ  端子
２１ｂ  回路基板
２２  レーザ光
２３  光学ユニット
２３ａ  端子
２３ｂ  回路基板
２４  レーザ光
３０、３１  ボリューム
４１  キャリッジ
４１ａ  側面部
５３  ＦＰＣ
５３ａ、５３ｂ、５３ｃ、５３ｄ  電極
【図１】
0003899568.tif 000002
【図２】
0003899568.tif 000003
【図３】
0003899568.tif 000004
【図４】
0003899568.tif 000005
【図５】
0003899568.tif 000006
【図６】
0003899568.tif 000007
【図７】
0003899568.tif 000008
【図８】
0003899568.tif 000009
【図９】
0003899568.tif 000010
【図１０】
0003899568.tif 000011